(57)【要約】  商品（２）、特に飲料ボトル（２´）用の懸吊装置（１）であって、該懸吊装置（１）を懸吊するための懸吊開口（４）と、前記商品（２）を支持する支持開口（６）を備えた１つの底面部分（５）と、前記支持開口（６）から突出する前記商品（２）の部分を収容する空所（１１）を、前記底面部分（５）と共に取り囲む複数の側方部分（８；８´，８´´）とを有しており、前記空所（１１）内に、製品情報若しくは販売情報を示す挿入部分（１３）が交換可能に配置されている。
2015523290.tif 000002
【特許請求の範囲】
【請求項１】
商品（２）、特に飲料ボトル（２´）用の懸吊装置（１）であって、該懸吊装置（１）を懸吊するための懸吊開口（４）と、前記商品（２）を支持する支持開口（６）を備えた１つの底面部分（５）と、前記支持開口（６）から突出する前記商品（２）の部分を収容する空所（１１）を、前記底面部分（５）と共に取り囲む複数の側方部分（８；８´，８´´）とを有した、懸吊装置（１）において、
前記空所（１１）内に、製品情報若しくは販売情報を示す挿入部分（１３）が交換可能に配置されていることを特徴とする、懸吊装置。
【請求項２】
前記挿入部分（１３）として、前記製品情報若しくは販売情報が印刷された紙片、特に折り畳み紙片、好適には紙材料から成る紙片が設けられている、請求項１記載の懸吊装置。
【請求項３】
前記挿入部分（１３）は少なくとも所定の部分で、前記側方部分（８；８´，８´´）のうちの１つの側方部分の内面に接触している、請求項１又は２記載の懸吊装置。
【請求項４】
前記挿入部分（１３）は、前記側方部分（８；８´，８´´）のうち少なくとも１つの側方部分のほぼ全高さにわたって及び／又はほぼ全幅にわたって延在している、請求項１から３までのいずれか１項記載の懸吊装置。
【請求項５】
前記側方部分（８；８´，８´´）は１つの突き合わせ縁部（９）を起点として互いに傾けられて配置されている、請求項１から４までのいずれか１項の懸吊装置。
【請求項６】
前記挿入部分（１３）は少なくとも所定の部分で、前記側方部分（８；８´，８´´）の間の前記突き合わせ縁部（９）に接触している、請求項５記載の懸吊装置。
【請求項７】
前記挿入部分（１３）は、前記支持開口（６）から突出する前記商品（２）の部分と、前記側方部分（８；８´，８´´）のうちの少なくとも１つの側方部分との間で所定の位置で位置固定されている、請求項１から６までのいずれか１項の懸吊装置。
【請求項８】
前記底面部分（５）と前記側方部分（８）とは、折り畳み可能な材料から裁断された好適には一体の部材によって形成されていて、この裁断された部材は折り線（１０）に沿って折られている、請求項１から７までのいずれか１項の懸吊装置。
【請求項９】
前記折り畳み可能な材料として、プラスチックフィルム、好適にはポリプロピレンから成るプラスチックフィルムが設けられている、請求項８記載の懸吊装置。
【請求項１０】
前記挿入部分（１３）は、保持部分（２１）によって貫通される保持開口（２０）を有している、請求項１から９までのいずれか１項の懸吊装置。
【請求項１１】
前記挿入部分（１３）の前記保持開口（２０）は、前記挿入部分（１３）の１つの折り線に沿って延在している、請求項１０記載の懸吊装置。
【請求項１２】
前記挿入部分（１３）の前記保持開口（２０）に通される、前記保持部分（２１）の端部領域用に受容開口（２２）が設けられている、請求項１０又は１１記載の懸吊装置。
【請求項１３】
前記側方部分（８；８´，８´´）のうちの１つの側方部分に、該側方部分の主平面から旋回可能な舌片部分（１４）が設けられている、請求項１から１１までのいずれか１項の懸吊装置。
【請求項１４】
前記側方部分（８；８´，８´´）に、前記舌片部分（１４）の旋回状態で、前記支持開口（６）から突出する前記商品（２）の部分を露出させる穴（１６）が形成される、請求項１３記載の懸吊装置。
【請求項１５】
前記舌片部分（１４）は、前記保持開口（２０）に結合する保持部分（２１）として形成されている、請求項１３又は１４記載の懸吊装置。
【請求項１６】
前記舌片部分（１４）は、裁断縁（１５）によって前記側方部分（８）から切り出されている、請求項１３から１５までのいずれか１項の懸吊装置。
【請求項１７】
前記支持開口（６）は、前記飲料ボトル（２´）のボトルネック（７）を保持するためにほぼ円形である、請求項１から１６までのいずれか１項の懸吊装置。
【発明の詳細な説明】
【技術分野】
【０００１】
本発明は、商品、特に飲料ボトル用の懸吊装置であって、該懸吊装置を懸吊するための懸吊開口と、商品を支持する支持開口を備えた底面部分と、前記支持開口から突出する商品の部分を収容する空所を、前記底面部分と共に取り囲む側方部分とを備えた、懸吊装置に関する。
【０００２】
このような形式の懸吊装置は、懸吊カードと言われることも多く、様々な実施形態が公知であり、セルフサービス店で商品を見易く配置することができる。このために複数の懸吊装置を、１つの棒状のホルダに掛けることができ、ここから取り外すことができる。
【０００３】
一方では、紙製の懸吊カードが公知であり、この懸吊カードには簡単に商品の詳細を印刷することができる。しかしながら欠点としては、このような懸吊カードは耐久性が弱く、重たい商品を保持するには殆ど適していない。さらに欠点であるのは、商品詳細の変更を考慮すべき場合には、製品を懸吊カードに適合させなければならないことである。結果的に、印刷された懸吊カードには僅かな情報しか記載することができないという欠点がある。
【０００４】
他方では、先行技術においてプラスチック製の懸吊カードが公知であり、この懸吊カードは比較的大きな荷重容量の点で優れている。しかしながらプラスチック製の懸吊カードに商品詳細を印刷するのは手間がかかるという欠点がある。さらに、ＦＲ２６５５０２１号明細書にはポリプロピレン製の懸吊装置が開示されており、この懸吊装置には単数又は複数の接着剤付きのラベルによって詳細を記載するようになっている。しかしながらこのラベルは、商品説明のために僅かなスペースしか提供していないという欠点がある。さらなる欠点は、ラベル除去の際には接着剤残留物が生じることである。従って、ラベル上の記載を変更したい場合には、懸吊装置を取り替える必要が生じることが多い。
【０００５】
米国特許第４７０６８０４号明細書により既に公知の懸吊装置は、隣接する平行な面によって形成される平らな主要部分と、該主要部分に対して直角に配置されている支持部分とから成っている。しかしながらこのような懸吊装置によっては、多様な製品情報・販売情報を可変的に示すことはできない。
【０００６】
米国特許第１９１０１６８号明細書により公知の紙製又は厚紙製のカップホルダは、ホルダ底面を形成する中央部分と、該中央部分に中間部分を介して結合されていて、カップを保持する三角形の開口部を取り囲んでいる側方部分とを有している。しかしながらこのようなカップホルダによっても、多様な製品情報・販売情報を可変的に示すことはできない。
【０００７】
米国特許第２２４８２３４号明細書には、同様に不透明の厚紙片から成る牛乳瓶用の折り畳み保持装置が示されている。厚紙の平らな中央部分には、牛乳瓶ネックを収容するほぼ楕円形の開口が設けられている。
【０００８】
欧州特許第１１３６９７１号明細書によりさらに、差し込まれた商品を取り付けるための開口を有した懸吊プレートが公知である。この場合、開口を突出する商品部分は自由に接触することができる。この懸吊プレートには広範囲の指示書が収容されている、若しくはその側方部分に接着剤で貼り付けられている。従ってこのような懸吊プレートによっても、多様な製品情報・販売情報を可変的に示すことはできない。
【０００９】
別の形式のパッケージ装置が例えば特開２００３−３４１７１８号明細書により公知である。この明細書には、複数の飲料缶用のパッケージボール箱が開示されている。この箱は、飲料缶を包み込むカバープレートを有していて、このカバープレートは、把持開口と、側面部分と、底板とを有している。従って、外側の缶だけをパッケージの短い端部に設けられた開口から見ることができ、触ることができる。このような別の形式のパッケージでは、カバープレートと缶の上面との間に広告プレートを挿入することができ、パッケージに取り付けることができる。
【００１０】
最後に、ＷＯ２０１１／０２００８４号明細書により公知の懸吊装置は、側面部分を有していて、この側面部分にはそれぞれ、フックに掛けるための開口が設けられている。この側面部分には、支持開口を有した開口プレートが続いていて、この支持開口内にボトルの一部を導入することができる。ボトルに関する情報表示のためには、側面部分の外面しか設けられていないので、この場合も、製品情報・販売情報のためには限られたスペースしかない。
【００１１】
そこで本発明の課題は、構造的に単純な手段によって、冒頭で述べた形式の耐久性のある懸吊装置であって、多様な製品情報・販売情報を可変的に示すことができるような懸吊装置を提供することである。
【００１２】
本発明によれば、製品情報若しくは販売情報を示すための挿入部分は空所内に交換可能に配置されている。
【００１３】
空所の内側に、挿入部分がルーズに若しくは取り外し可能に配置されていることにより、本発明による懸吊装置において様々な挿入部分を簡単に配置することができる。このことは特に、同じものを国際的に販売する場合に有利である。何故ならばこのような場合には、製品情報若しくは販売情報を様々な言語で記載しなければならないからである。従って、本発明による懸吊装置により簡単かつ安価に、多言語の挿入部分を、他の部分は同様に形成された各懸吊装置に収容することができ、これにより著しくコスト削減することができる。さらに、製品情報若しくは販売情報が変更された場合や、同じ懸吊装置を様々な商品のために使用する場合には、好適には、挿入部分は必要時に取り替えることもできる。この場合、空所における挿入部分の保持は特に、摩擦接続的又は形状接続的に行われる。従って、懸吊カード自体に印刷されている、又はラベルが備えられている先行技術とは異なり、懸吊装置のその他の構成部分は様々な目的に使用することができるので、様々な商品のために使用可能な特に可変的な構成が得られる。さらに、この懸吊装置は簡単かつ低コストに製造することができる。さらに好適には挿入部分は支持機能を担う必要はないので、挿入部分に対する強度及び耐久性に関する要求は比較的僅かで良い。従って、挿入部分は、例えば販売製品の形式やモデル、使用上の注意等のような情報を表示するのに最適化することができる。ゆえに、挿入部分を介して特に広範囲にわたる製品情報若しくは販売情報を伝えることができる。さらに挿入部分の材料は、視覚的に効果的な情報の表示を基準に選択することができる。
【００１４】
挿入部分として、製品情報若しくは販売情報が印刷された紙片、特に折り畳み紙片、好適には紙材料から成る紙片が設けられているならば、様々な形式の若しくは多言語の製品情報若しくは販売情報を示すのに特に好適である。従って、必要時に取り出し、場合によっては別の挿入部分と交換することができる安価な挿入部分が提供される。挿入部分に紙材料を使用する場合、好適には特に簡単な印刷技術を用いることができる。折り畳み紙片は、広範囲の製品情報若しくは販売情報を示すのに特に良好に適している。
【００１５】
挿入部分が少なくとも部分的に、側方部分のうち１つの側方部分の内面に接触するならば、接触面間に摩擦接続的な結合が生じ、これにより好適には滑り落ち防止効果が得られる。従って、所定の位置からの挿入部分の意図に反した滑脱は少なくとも困難にすることができる。他方、挿入部分と側方部分との間の接触面は接着層ではないので、挿入部分の除去の際には残留物は残らない。
【００１６】
挿入部分は、側方部分のうち少なくとも１つの側方部分のほぼ全高さにわたって及び／又はほぼ全幅にわたって延在しているならば有利である。これにより有利には、製品情報若しくは販売情報を示すために特に大きな面積が提供され得る。この場合、挿入部分が所定の位置で、ほぼ全幅にわたって、かつ／又はほぼ全高さにわたって、所属の側方部分に接触するならば、これにより、接触面の間の滑り落ちを防止する摩擦接続が強化される。
【００１７】
好適な構成によれば、側方部分は１つの突き合わせ縁部を起点として互いに傾けられて配置されている。この場合、両側方部分は、懸吊装置が懸吊された状態ではほぼ水平に配置される底面部分の互いに向かい合って位置する側縁から所定の角度を成して上方に延びていて良い。好適には、両側方部分と底面部分とは、（水平に置いた状態で）底面としてほぼ二等辺三角形を有している１つの角柱を形成する。
【００１８】
挿入部分が少なくとも所定の部分で、両側方部分間の突き合わせ縁部に接触していると、空所内における挿入部分の固定には好適である。好適には、挿入部分の外縁は、突き合わせ縁部に沿って方向付けられているので、挿入部分は所定の位置に保持される。好適には側方部分の別個の長手方向縁が、突き合わせ縁部で特に互いに鋭角的に突き合わせられる。しかしながら側方部分は突き合わせ縁部で互いに一体に結合されていても良い。
【００１９】
挿入部分は、支持開口から突出する商品の部分と、側方部分のうちの少なくとも１つの側方部分との間の所定の位置で位置固定されているならば、空所からの挿入部分の不都合な滑脱を防止するのに有利である。従って、挿入部分は商品と側方部分との間で規定された位置に挟み込まれている。
【００２０】
底面部分と側方部分とは、折り畳み可能な材料から裁断された好適には一体の部材によって形成されていて、この裁断された部材は折り線に沿って折られているならば、懸吊装置の安価な製造という点で有利である。製造する際には、もともと扁平な材料板から裁断部材を形成し、この裁断部材を折り畳んで完成した懸吊装置となるように成形する。この場合、裁断部材は好適には打ち抜き部分として構成されている。従って、懸吊装置は好適には特に簡単かつ安価に、金属薄板から製造することができる。
【００２１】
折り畳み可能な材料として、プラスチックフィルム、好適にはポリプロピレンから成るプラスチックフィルムが設けられているならば、特に耐久性のある構成を得るのに有利である。プラスチックフィルムは有利には高い負荷に耐えることができ、従って懸吊装置の損傷を確実に回避することができる。プラスチックフィルムが透明であるならば、製品情報若しくは販売情報が懸吊装置を通して見ることができる。
【００２２】
空所内での所定の位置に挿入部分を位置固定するために、挿入部分が保持部分によって貫通される保持開口を有しているならばさらに有利である。挿入部分は保持開口を介して保持部分に取り外し可能に結合可能である。結合状態では挿入部分と保持部分とは互いに形状接続的に結合されている。好適には、これにより挿入部分は、懸吊装置の位置にかかわらず、例えば懸吊装置が逆さまになっていたとしても、意図に反して空所から外れてしまうことを確実に防止することができる。保持部分は好適には懸吊装置の構成部分である。しかしながら有利な構成というわけではないが、挿入部分の保持開口には、懸吊装置に固定される外部の取付け手段が設けられていても良い。
【００２３】
挿入部分の保持開口が挿入部分の１つの折り線に沿って延在しているならば、保持開口を形成するのに有利には、挿入部分に対して僅かに加工を施すだけで良い。これにより好適には、挿入部分の見た目のイメージは殆ど損なわれない。さらに、折り縁における保持開口は、情報表示のために必要なスペースとしては求められない。さらには、折り線における保持開口の形成は特に簡単に製造される。好適には、折り畳み用紙として形成された挿入部分の２つの頁の間に折り線が延在している。
【００２４】
挿入部分の保持開口に通される、保持部分の端部領域用に受容開口が設けられているならば、懸吊装置に挿入部分を保持するのに特に好適である。挿入部分を所定の位置に位置固定するためには、保持部分の自由端部領域は、挿入部分の保持開口に通され、受容開口で位置固定されている。受容開口は、好適には、懸吊開口を有するハンガー部分に延在している。好適な構成というわけではないが、受容開口は省くことができる。この場合、保持部分の自由端部領域は摩擦接続的に、保持開口を画定する、挿入部分の開口縁で位置固定されている。受容開口は好適には、保持部分の端部領域に相応に成形されている切り口として形成されている。
【００２５】
特に好適な構成では、側方部分のうちの１つの側方部分に、該側方部分の主平面から旋回可能な舌片部分が設けられている。
【００２６】
側方部分に、舌片部分の旋回状態で、支持開口から突出する商品の部分を露出させる穴が形成されるならば、商品の配置のために十分なスペースが提供されるので有利である。舌片部分は、側方部分の主平面に位置し、空所を遮断する位置と、この位置に対して旋回した、空所を解放する位置との間で移動可能である。舌片部分の旋回位置では、商品の支持開口を突出した部分は穴を通って外に向かって延在することができる。好適にはこれにより、懸吊装置の内部容積を小さく維持することができ、これにより一方では材料を節約でき、さらに複数の懸吊装置を省スペースに相前後して配置することができる。
【００２７】
簡単な手段により挿入部分を取り外し可能に懸吊装置に位置固定するために、舌片部分が保持開口に接続するための保持部分として形成されていると有利である。従って所定の位置において挿入部分を位置固定するためには、舌片部分を旋回位置にもたらし、舌片部分を挿入部分の保持開口に通してガイドするだけで良い。好適には、舌片部分の自由端部領域は受容開口において位置固定されている。
【００２８】
製造技術的な理由により、舌片部分が裁断縁によって側方部分から切り出されて形成されるならば有利である。従って舌片部分は側方部分と一体に形成されている。製造の際に、舌片部分は側方部分から切り出される。
【００２９】
支持開口がほぼ円形に形成されているならば、飲料ボトルのボトルネックを支持するために特に好適である。使用時には、飲料ボトルは好適には形状接続的に支持開口に取り付けられている。飲料ボトルが雄ねじ山を有しているならば、雄ねじ山を介して飲料ボトルを支持開口内にねじ込むことができる。しかしながら勿論、商品が、支持開口に隣接する底面部分の区分の延伸により支持開口で位置固定されることも考えられる。
【００３０】
次に本発明を図示した特に好適な実施例につきさらに説明するが、本発明はこれに限定されるものではない。
【図面の簡単な説明】
【００３１】
【図１】製品情報若しくは販売情報を表示する挿入部分を備えた、飲料ボトル用の本発明による懸吊装置を概略的に示した図である。
【図２】飲料ボトルを収容するトンネル状の空所の方向で見た図１の懸吊装置を、ここに懸吊された飲料ボトルと共に示した図である。
【図３】旋回可能な舌片部分を有した第１の側方部分が見えている、図１及び図２に示した懸吊装置を、ここに懸吊された飲料ボトルと共に示した図である。
【図４】第２の側方部分に取り外し可能に保持された取付け舌片が見えている、図１〜図３に示した懸吊装置を示した図である。
【図５】図１〜図４に示した懸吊装置を示す展開図である。
【図６】製品情報若しくは販売情報を表示する挿入部分を示した図である。
【００３２】
図１〜図５には、商品２用の懸吊装置１が示されていて、この懸吊装置１は図示の実施形態では飲料ボトル２´を懸吊するために使用されている。このために懸吊装置１はハンガー部分３を有しており、このハンガー部分３には懸吊開口４が設けられている。この懸吊開口４を介して懸吊装置１は販売スタンド（図示せず）の棒に押し込むことができ、ここから再び取り外すことができる。
【００３３】
図１〜図５によりさらに判るように、懸吊装置１は、懸吊装置１の使用時にほぼ水平に配置される底面部分５を有していて、この底面部分５には商品２を支持する支持開口６が設けられている。図示した実施態様では、飲料ボトル２´のボトルネック７若しくはカバーキャップが、底面部分５の支持開口６を画定する部分によって下方から把持されるので、飲料ボトル２´は形状接続的に支持開口６に保持されている。ボトルネック７を収容するために支持開口６は円形に形成されている。
【００３４】
図１〜図５によりさらに判るように、懸吊装置１はさらに２つの側方部分８を有しており、これらの側方部分８は、側方部分８の互いに当接する縁部の間に形成された１つの突き合わせ縁部９を起点として互いに傾けられている。底面部分５と側方部分８とはこの場合、プラスチック材料、好適にはポリプロピレンから裁断された一体的な部分として形成されている。側方部分８と底面部分５とを形成するために、この裁断物は折り線１０に沿って折られている。折り線１０は、底面部分５の互いに向かい合って位置する縦縁１０´を有している。図１〜図４には懸吊装置１が折り畳み状態で示されていて、図５には展開状態で示されている。
【００３５】
図１〜図５によりさらに判るように、懸吊装置１はさらに取付け舌片１７を有しており、この取付け舌片１７は、突き合わせ縁部９に沿った折り線１０´´で折り曲げられている。取付け舌片１７はスリット１７´（図５参照）を有しており、このスリット１７´を通してハンガー部分３がガイドされる。取付け舌片１７は、係合手段１８を介して一方の側方部分８´に取り付けられている。係合手段１８は、該側方部分８´に２つの取付け開口１８´を有しており、これらの取付け開口１８´は結合状態（図４参照）では、取付け舌片１７の主平面から旋回可能な舌片１８´´と、取付け舌片１７の自由端部領域とによって後方から係合されている。従って、取付け舌片１７は、２つの結合個所で解離可能に側方部分８´に取り付けられている。
【００３６】
図１〜図５によりさらに判るように、側方部分８と底面部分５とは、その主平面に対して垂直方向で見て、二等辺三角形の形で配置されており、その二等辺は側方部分８によって形成されており、その底辺は底面部分５によって形成されている。しかしながら、裁断のために柔軟なプラスチックフィルムを使用することにより、懸吊装置１は使用時、多様に変形させることができる。
【００３７】
図１〜図５によりさらに判るように、側方部分８と底面部分５との間には空所１１が画定されていて、この空所１１内には、支持開口６に位置固定された飲料ボトル２´が突入している。この空所１１は、図示の実施態様では、懸吊装置１の両端面に開口１２を有しており、これらの開口１２は、側方部分８の全高さにわたって、及び底面部分５の全幅にわたって延在している。
【００３８】
図１〜図５によりさらに判るように、空所１１には、製品情報若しくは販売情報を示す挿入部分１３がルーズに配置されているので、簡単に特に多言語の挿入部分を挿入することができ、若しくは挿入部分１３を必要時に取り替えることができる。図示の実施態様では、挿入部分１３として、紙材料から成る折り畳み紙片が設けられており、この折り畳み紙片は、製品情報若しくは販売情報が印刷された複数の頁を有している（図６参照）。挿入部分１３は開口１２から、懸吊装置１の空所１１内に押し込むことができる。
【００３９】
図１〜図５によりさらに判るように、挿入部分１３は、一方の側方部分８´の内面に接触した状態で、この側方部分８´の全高さにわたって及び全幅にわたって延在している。これにより、挿入部分１３と側方部分８´との間に摩擦接続が得られ、この摩擦接続により、挿入部分１３の滑脱が阻止される。挿入部分１３の外縁は、この場合、両側方部分８の間の突き合わせ縁部９に沿って延在しており、これにより挿入部分１３の外縁は両側方部分８の間でガイドされ、若しくは保持されている。図示した実施態様では、挿入部分１３はさらに、支持開口６を通って空所１１内に突入する商品２の部分と側方部分８´との間で位置固定されている。
【００４０】
図１〜図５によりさらに明らかであるように、一方の側方部分８´´には舌片部分１４が設けられていて、この舌片部分１４は該側方部分８´´から裁断縁１５によって切り出されている。舌片部分１４は、側方部分８の主平面に延在する旋回軸１４´を中心として旋回可能である。旋回位置では、側方部分８´´に穴１６が開放され、この穴１６に飲料ボトル２´の閉鎖キャップ２´´を通すことができる。さらに裁断縁１５によって、支持開口６が延在している底面部分５の縦縁１０´を越えて延在する、図示の実施態様では半円形の拡大部５´が形成されている。
【００４１】
図１〜図５によりさらに判るように、挿入部分１３はさらに形状接続的に懸吊装置１に保持されている。このために、舌片部分１４はさらに保持部分２１として形成されており、この保持部分２１は旋回位置で、図６に示された挿入部分１３の保持開口２０に通されている。舌片部分１４の自由端部領域は受容開口２２内に位置固定されており、これにより、舌片部分１４が不都合に、挿入部分１３の保持開口２０から滑り落ちることが阻止される。挿入部分１３の保持開口２０は図示の実施態様では、懸吊開口４と、側方部分８´の上縁との間のハンガー部分３に形成されている。
【００４２】
図５にはさらに、底面部分５の縦縁１０´の間の真ん中に延在している折り畳み線１０´´´が示されている。これにより、折り畳み状態で懸吊装置１を平らに配置することが可能になる。
【００４３】
図６には挿入部分１３が示されていて、この挿入部分１３は図示の実施態様では、縁部側の折り線に沿って接合された複数の頁１３´から成る折り畳み用紙として形成されている。さらに、懸吊装置１の使用位置で側方部分８´´に当接する端部区分１３´´が設けられている。この端部区分１３´´は、舌片部分１４の輪郭に相応に形成されている。この場合、折り畳み用紙の頁１３´若しくは端部区分１３´´は、製品情報若しくは販売情報が印刷された（図６に概略的に示された）領域１９を有している。
【００４４】
図６によりさらにわかるように、舌片部分１４と結合可能な、挿入部分１３の保持開口２０は、挿入部分１３の端部区分１３´´と、これに隣接する頁１３´の間の折り線に沿って延在している。
【図１】
2015523290.tif 000003
【図２】
2015523290.tif 000004
【図３】
2015523290.tif 000005
【図４】
2015523290.tif 000006
【図５】
2015523290.tif 000007
【図６】
2015523290.tif 000008
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
商品（２）、特に飲料ボトル（２´）用の懸吊装置（１）であって、該懸吊装置（１）を懸吊するための懸吊開口（４）と、前記商品（２）を支持する支持開口（６）を備えた１つの底面部分（５）と、前記支持開口（６）から突出する前記商品（２）の部分を収容する空所（１１）を、前記底面部分（５）と共に取り囲む複数の側方部分（８；８´，８´´）とを有した、懸吊装置（１）において、
前記空所（１１）内に、製品情報若しくは販売情報を示す挿入部分（１３）が交換可能に配置されていて、前記側方部分（８；８´，８´´）は１つの突き合わせ縁部（９）を起点として互いに傾けられて配置されており、前記挿入部分（１３）は少なくとも所定の部分で、前記側方部分（８；８´，８´´）の間の前記突き合わせ縁部（９）に接触していることを特徴とする、懸吊装置。
【請求項２】
前記挿入部分（１３）として、前記製品情報若しくは販売情報が印刷された紙片、特に折り畳み紙片、好適には紙材料から成る紙片が設けられている、請求項１記載の懸吊装置。
【請求項３】
前記挿入部分（１３）は少なくとも所定の部分で、前記側方部分（８；８´，８´´）のうちの１つの側方部分の内面に接触している、請求項１又は２記載の懸吊装置。
【請求項４】
前記挿入部分（１３）は、前記側方部分（８；８´，８´´）のうち少なくとも１つの側方部分のほぼ全高さにわたって及び／又はほぼ全幅にわたって延在している、請求項１から３までのいずれか１項記載の懸吊装置。
【請求項５】
前記挿入部分（１３）は、前記支持開口（６）から突出する前記商品（２）の部分と、前記側方部分（８；８´，８´´）のうちの少なくとも１つの側方部分との間で所定の位置で位置固定されている、請求項１から４までのいずれか１項の懸吊装置。
【請求項６】
前記底面部分（５）と前記側方部分（８）とは、折り畳み可能な材料から裁断された好適には一体の部材によって形成されていて、この裁断された部材は折り線（１０）に沿って折られている、請求項１から５までのいずれか１項の懸吊装置。
【請求項７】
前記折り畳み可能な材料として、プラスチックフィルム、好適にはポリプロピレンから成るプラスチックフィルムが設けられている、請求項６記載の懸吊装置。
【請求項８】
前記挿入部分（１３）は、保持部分（２１）によって貫通される保持開口（２０）を有している、請求項１から７までのいずれか１項の懸吊装置。
【請求項９】
前記挿入部分（１３）の前記保持開口（２０）は、前記挿入部分（１３）の１つの折り線に沿って延在している、請求項８記載の懸吊装置。
【請求項１０】
前記挿入部分（１３）の前記保持開口（２０）に通される、前記保持部分（２１）の端部領域用に受容開口（２２）が設けられている、請求項８又は９記載の懸吊装置。
【請求項１１】
前記側方部分（８；８´，８´´）のうちの１つの側方部分に、該側方部分の主平面から旋回可能な舌片部分（１４）が設けられている、請求項１から９までのいずれか１項の懸吊装置。
【請求項１２】
前記側方部分（８；８´，８´´）に、前記舌片部分（１４）の旋回状態で、前記支持開口（６）から突出する前記商品（２）の部分を露出させる穴（１６）が形成される、請求項１１記載の懸吊装置。
【請求項１３】
前記舌片部分（１４）は、前記保持開口（２０）に結合する保持部分（２１）として形成されている、請求項１１又は１２記載の懸吊装置。
【請求項１４】
前記舌片部分（１４）は、裁断縁（１５）によって前記側方部分（８）から切り出されている、請求項１１から１３までのいずれか１項の懸吊装置。
【請求項１５】
前記支持開口（６）は、前記飲料ボトル（２´）のボトルネック（７）を保持するためにほぼ円形である、請求項１から１４までのいずれか１項の懸吊装置。
【国際調査報告】
2015523290.tif 000009
2015523290.tif 000010
2015523290.tif 000011
2015523290.tif 000012